(57)【要約】【課題】  机上棚を構成する側板や背板の上端部に灯具の支持具を取付けた際に、側板や背板で区画形成される書籍等の収納部に何ら突出する部分が存在せず、もって灯具の支持具に干渉されることなく収納部に書籍等を自由に収納することが可能な灯具の取付装置を提供する。【解決手段】  内側に書籍等の収納部を区画形成する板状部材を備えた机上棚において、支持具は、板状部材の上端面に当接し且つ板状部材の内側面より突出しない寸法の水平板と、板状部材の収納部とは反対側の外側面に当接する垂直板とからなる倒Ｌ字形の取付部と、取付部の水平板の上に立ち上げ形成し且つ水平板内に収まる平面投影形状の受部とを備え、取付部の水平板と垂直板とが板状部材の上端面と外側面にそれぞれ当接した状態で、取付部を着脱可能な固定手段で板状部材に取付けた状態で、受部にて灯具のアームを支持してなる。【選択図】        図１
2017201597.tif 000002
【特許請求の範囲】
【請求項１】
鉛直方向に立ち上がり、内側に書籍等の収納部を区画形成する板状部材を備えた机上棚において、前記板状部材の上端部に支持具を取付け、該支持具で灯具を支持してなる灯具の取付装置であって、前記支持具は、前記板状部材の上端面に当接し且つ該板状部材の内側面より突出しない寸法の水平板と、前記板状部材の収納部とは反対側の外側面に当接する垂直板とからなる倒Ｌ字形の取付部と、該取付部の水平板の上に立ち上げ形成し且つ該水平板内に収まる平面投影形状の受部とを備え、前記取付部の水平板と垂直板とが前記板状部材の上端面と外側面にそれぞれ当接した状態で、該取付部を着脱可能な固定手段で前記板状部材に取付けた状態で、前記受部にて前記灯具のアームを支持してなることを特徴とする灯具の取付装置。
【請求項２】
前記固定手段が、ネジと螺孔による締結構造であり、前記板状部材には内外に貫通するとともに、内側面にザグリ部を設けた取付孔を形成し、前記支持具の垂直板には螺孔を形成し、内側から前記取付孔に挿通したネジを前記垂直板の螺孔に螺合する構造である請求項１記載の灯具の取付装置。
【請求項３】
前記固定手段が、ネジとナットによる締結構造であり、前記板状部材には、外側面に望むようにナットを埋設し、前記支持具の垂直板には内外に貫通する通孔を形成し、外側から前記垂直板の通孔に挿通したネジを前記板状部材のナットに螺合する構造である請求項１記載の灯具の取付装置。
【請求項４】
前記支持具の受部は、中心部に前記灯具のアーム下端に設けた垂直軸を回転可能に乾燥する軸受孔を有する筒状構造であり、平面視における外形が、長軸が前記水平板の長手方向に向いた楕円形若しくは長円形である請求項１〜３何れか１項に記載の灯具の取付装置。
【請求項５】
前記支持具は、合成樹脂と金属の複合部材であり、前記取付部に倒Ｌ字形の金属補強部材と、前記受部に金属スリーブが、ネジ止め連結され若しくはインサート成形されて一体化した構造である請求項１〜４何れか１項に記載の灯具の取付装置。
【発明の詳細な説明】
【技術分野】
【０００１】
本発明は、灯具の取付装置に係わり、更に詳しくは机上棚に灯具のアームを支持するための灯具の取付装置に関するものである。
【背景技術】
【０００２】
従来から棚付き学習机において、机上棚に灯具を取付けたものは各種提供されている。通常、灯具のアーム部を支持する支持具を、机天板の縁部や机上棚の側板又は背板の上端部に取付ける構造として、対象板状部材を両面から挟んで、一方からネジ式の押圧部材で締め付けるクランプ構造が一般的である。
【０００３】
例えば、特許文献１には、机上棚の背板の上端部に、前面受け具と後面受け具とを有する受け具を嵌合するとともに、後面受け具に後方からＴ字状ボルト若しくは蝶ネジを螺合し、前記背板を押圧して取付ける構造が開示されている。しかし、この特許文献１に記載の取付構造では、机上棚の書棚等の収納部になる背板の前側に前面受け具が突出し、収納部に書籍等を収納する際に、前面受け具に干渉するので、それを避ける必要がある。
【０００４】
また、特許文献２に記載されている照明装置の取付構造も机上棚の両側板の内側に、照明装置を支持するブラケットをネジ止めしているので、前記同様に書籍等と干渉することになる。
【先行技術文献】
【特許文献】
【０００５】
【特許文献１】特開２００１−３１９５１９号公報
【特許文献２】特開平１１−２９５４５７号公報
【発明の概要】
【発明が解決しようとする課題】
【０００６】
そこで、本発明が前述の状況に鑑み、解決しようとするところは、机上棚を構成する側板や背板の上端部に灯具の支持具を取付けた際に、側板や背板で区画形成される書籍等の収納部に何ら突出する部分が存在せず、もって灯具の支持具に干渉されることなく収納部に書籍等を自由に収納することが可能な灯具の取付装置を提供する点にある。
【課題を解決するための手段】
【０００７】
本発明は、前述の課題解決のために、以下の構成の灯具の取付装置を提供する。
【０００８】
（１）鉛直方向に立ち上がり、内側に書籍等の収納部を区画形成する板状部材を備えた机上棚において、前記板状部材の上端部に支持具を取付け、該支持具で灯具を支持してなる灯具の取付装置であって、前記支持具は、前記板状部材の上端面に当接し且つ該板状部材の内側面より突出しない寸法の水平板と、前記板状部材の収納部とは反対側の外側面に当接する垂直板とからなる倒Ｌ字形の取付部と、該取付部の水平板の上に立ち上げ形成し且つ該水平板内に収まる平面投影形状の受部とを備え、前記取付部の水平板と垂直板とが前記板状部材の上端面と外側面にそれぞれ当接した状態で、該取付部を着脱可能な固定手段で前記板状部材に取付けた状態で、前記受部にて前記灯具のアームを支持してなることを特徴とする灯具の取付装置。
【０００９】
（２）前記固定手段が、ネジと螺孔による締結構造であり、前記板状部材には内外に貫通するとともに、内側面にザグリ部を設けた取付孔を形成し、前記支持具の垂直板には螺孔を形成し、内側から前記取付孔に挿通したネジを前記垂直板の螺孔に螺合する構造である（１）記載の灯具の取付装置。
【００１０】
（３）前記固定手段が、ネジとナットによる締結構造であり、前記板状部材には、外側面に望むようにナットを埋設し、前記支持具の垂直板には内外に貫通する通孔を形成し、外側から前記垂直板の通孔に挿通したネジを前記板状部材のナットに螺合する構造である（１）記載の灯具の取付装置。
【００１１】
（４）前記支持具の受部は、中心部に前記灯具のアーム下端に設けた垂直軸を回転可能に乾燥する軸受孔を有する筒状構造であり、平面視における外形が、長軸が前記水平板の長手方向に向いた楕円形若しくは長円形である（１）〜（３）何れか１に記載の灯具の取付装置。
【００１２】
（５）前記支持具は、合成樹脂と金属の複合部材であり、前記取付部に倒Ｌ字形の金属補強部材と、前記受部に金属スリーブが、ネジ止め連結され若しくはインサート成形されて一体化した構造である（１）〜（４）何れか１に記載の灯具の取付装置。
【発明の効果】
【００１３】
以上にしてなる本発明の灯具の取付装置は、鉛直方向に立ち上がり、内側に書籍等の収納部を区画形成する板状部材を備えた机上棚において、前記板状部材の上端部に支持具を取付け、該支持具で灯具を支持してなる灯具の取付装置であって、前記支持具は、前記板状部材の上端面に当接し且つ該板状部材の内側面より突出しない寸法の水平板と、前記板状部材の収納部とは反対側の外側面に当接する垂直板とからなる倒Ｌ字形の取付部と、該取付部の水平板の上に立ち上げ形成し且つ該水平板内に収まる平面投影形状の受部とを備え、前記取付部の水平板と垂直板とが前記板状部材の上端面と外側面にそれぞれ当接した状態で、該取付部を着脱可能な固定手段で前記板状部材に取付けた状態で、前記受部にて前記灯具のアームを支持してなるので、机上棚を構成する側板や背板となる板状部材の上端部に灯具の支持具を取付けた際にも、灯具の支持具に干渉されることなく収納部に書籍等を自由に収納することができる。
【００１４】
前記支持具の受部は、中心部に前記灯具のアーム下端に設けた垂直軸を回転可能に乾燥する軸受孔を有する筒状構造であり、平面視における外形が、長軸が前記水平板の長手方向に向いた楕円形若しくは長円形であると、板状部材の板厚が極端に厚くなくても、受部の必要強度を確保できる。
【００１５】
前記支持具は、合成樹脂と金属の複合部材であり、前記取付部に倒Ｌ字形の金属補強部材と、前記受部に金属スリーブが、ネジ止め連結され若しくはインサート成形されて一体化した構造であると、合成樹脂で外観を優れたものにできるとともに、強度を金属で補強するので、灯具のアームを確実に支持することができる。
【図面の簡単な説明】
【００１６】
【図１】本発明に係る灯具の取付装置を適用した棚付き学習机の斜視図である。
【図２】机上棚の側板に支持具を取付けた状態の部分拡大斜視図である。
【図３】同じく机上棚の側板に支持具を取付けた状態の部分拡大平面図である。
【図４】支持具を示し、（ａ）は平面図、（ｂ）は側面図、（ｃ）は正面図である。
【図５】支持具の斜視図である。
【図６】机上棚の側板に支持具を取付けた状態の部分縦断面図である。
【図７】机上棚の側板に他の実施形態の支持具を取付けた状態の部分縦断面図である。
【発明を実施するための形態】
【００１７】
次に、添付図面に示した実施形態に基づき、本発明を更に詳細に説明する。図１〜図６は本発明に係る灯具の取付装置を示し、図中符号１は学習机、２は机上棚、３は板状部材、４は支持具、５は灯具をそれぞれ示している。
【００１８】
本実施形態では、学習机１に設けた机上棚２を対象として説明する。本発明の灯具の取付装置は、鉛直方向に立ち上がり、内側に書籍等の収納部Ｓを区画形成する板状部材３を備えた机上棚２において、前記板状部材３の上端部に支持具４を取付け、該支持具４で灯具５を支持してなるものである。
【００１９】
前記支持具４は、図４及び図５に示すように、前記板状部材３の上端部に取付ける取付部６と該取付部６から上方に立ち上がった受部７とからなる。具体的には、前記支持具４は、前記板状部材３の上端面８に当接し且つ該板状部材３の内側面より突出しない寸法の水平板９と、前記板状部材３の収納部Ｓとは反対側の外側面１０に当接する垂直板１１とからなる倒Ｌ字形の取付部６と、該取付部６の水平板９の上に立ち上げ形成し且つ該水平板９内に収まる平面投影形状の受部７とを備え、前記取付部６の水平板９と垂直板１１とが前記板状部材３の上端面８と外側面１０にそれぞれ当接した状態で、該取付部６を着脱可能な固定手段１２で前記板状部材３に取付けた状態で、前記受部７にて前記灯具５のアーム１３を支持してなるのである。ここで、前記机上棚２の収納部Ｓには、前記支持具４が全く突出しないので、該支持具４に干渉することなく自由に書籍等を収納できるのである。
【００２０】
本実施形態で示した前記机上棚２は、両側板１４，１４の後端部間に背板１５を連結し、適宜中間に仕切板１６を前記背板１５の前面に固定し、そして一方の側板１４と仕切板１６の間に棚板１７を横設したものであるが、本発明では特に構造は限定されない。本発明における前記板状部材３は、前記側板１４又は背板１５が相当している。尚、前記仕切板１６を本発明の板状部材３とする場合には、書籍等の収納部Ｓは前記棚板１７を設けた空間を指している。
【００２１】
前記支持具４の受部７は、中心部に前記灯具５の多関節構造のアーム１３下端に設けた垂直軸１８を回転可能に乾燥する軸受孔１９を有する筒状構造であり、図３及び図４（ａ）に示すように、平面視における外形が、長軸が前記水平板９の長手方向に向いた楕円形若しくは長円形である。このように、前記受部７の断面形状を楕円形若しくは長円形にすると、前後方向における曲げ応力に対する断面係数を大きくすることができ、支持強度の向上に寄与する。
【００２２】
前記支持具４は、図６に示すように、合成樹脂と金属の複合部材であり、前記取付部６に倒Ｌ字形の金属補強部材２０と、前記受部７に金属スリーブ２１が、ネジ止め連結され若しくはインサート成形されて一体化した構造である。図示した構造は、前記取付部６の水平板９と垂直板１１の内側に凹部２２を形成し、該凹部２２に倒Ｌ字形の金属補強部材２０を嵌合して合成樹脂部を金属補強部材２０にネジ２３，…で締め付けて一体化している。一方、前記受部７には中心に軸受孔１９を有する金属スリーブ２１をインサート成形して一体化している。尚、前記金属補強部材２０と金属スリーブ２１を溶接して一体化し、金属部材全体をインサート成形しても良く、その場合にはネジ２３，…による固定は不要になる。
【００２３】
次に、前記支持具４を前記板状部材３に着脱可能に固定する固定手段１２を説明する。本実施形態では、前記固定手段１２が、ネジと螺孔による締結構造であり、図６に示すように、前記板状部材３には内外に貫通するとともに、内側面にザグリ部２５を設けた取付孔２４を形成し、前記支持具４の垂直板１１には螺孔２６を形成し、実際には金属補強部材２０に螺孔２６を形成し、垂直板１１の合成樹脂部には逃がし孔を形成し、内側から前記取付孔２４に挿通したネジ２７を前記垂直板１１の螺孔２６に螺合する構造である。この場合、前記収納部Ｓに面する板状部材３の内側面には、前記ネジ２７の頭部がザグリ部２５に埋没するので、何ら内側面に突出する部材が存在しない。
【００２４】
前記机上棚２は、前記学習机１の天板２８の上面後部に載置し、両側板１４，１４を連結具２９，２９で該天版２８の両側部に固定している。この状態で、前記机上棚２の側板１４は、学習机１の天板２８の側縁よりも若干内側に位置するので、前記支持具４の取付部６が前記天板２８の側縁よりも突出しないようになっている。
【００２５】
本実施形態では、前記板状部材３としての側板１４は、一枚物の板材ではなく、図２に示すように、前後の縦板３０，３０の上下間に、前記縦板３０よりも若干板厚が薄い横板３１，３１を連結した構造となっている。そして、前記支持具４の取付部６の垂直板１１の前縁を前側の縦板３０の後縁に当接するように取付けることにより、前記側板１４に対する支持具４の前後の回転が確実に規制され、取付姿勢を確実に維持することができる。
【００２６】
最後に、図７に基づいて、前記固定手段１２の他の実施形態を説明する。図７に示した固定手段１２は、ネジとナットによる締結構造であり、前記板状部材３には、外側面に望むようにオニメナット３２，３２を埋設し、前記支持具４の垂直板１１には内外に貫通する通孔３３，３を形成し、外側から前記垂直板１１の通孔３３，３３に挿通したネジ３４，３４を前記板状部材３のオニメナット３２，３２に螺合する構造である。この場合も、前記支持具４及び固定手段１２の何れの部材も板状部材３の内側面に突出することがないのである。
【符号の説明】
【００２７】
１  学習机、
２  机上棚、
３  板状部材、
４  支持具、
５  灯具、
６  取付部、
７  受部、
８  上端面、
９  水平板、
１０  外側面、
１１  垂直板、
１２  固定手段、
１３  アーム、
１４  側板、
１５  背板、
１６  仕切板、
１７  棚板、
１８  垂直軸、
１９  軸受孔、
２０  金属補強部材、
２１  金属スリーブ、
２２  凹部、
２３  ネジ、
２４  取付孔、
２５  ザグリ部、
２６  螺孔、
２７  ネジ、
２８  天板、
２９  連結具、
３０  縦板、
３１  横板、
３２  オニメナット、
３３  通孔、
３４  ネジ、
Ｓ  収納部。
【図１】
2017201597.tif 000003
【図２】
2017201597.tif 000004
【図３】
2017201597.tif 000005
【図４】
2017201597.tif 000006
【図５】
2017201597.tif 000007
【図６】
2017201597.tif 000008
【図７】
2017201597.tif 000009